(57)【要約】【課題】ステータコアのヨークの周面に隔設されたティースが本体歯部と取付歯部とから成る場合、本体歯部の側壁部及び取付歯部の凸部の加工を容易化することである。【解決手段】ステータコア２０は、環状のヨーク２２と、複数のスロット３３を区画する複数のティース２４とから成る。各ティース２４は、一対の側壁部２７及び凹部３０を含む本体歯部２５と、ステータコイル３４を保持する基部４１及び凹部３０に挿入される凸部４５を含む取付歯部４０と、から成る。凹部３０の底面３０ａと凸部４５の先端面４５ａとの間に隙間５０が形成されている。これにより、側壁部２７及び凸部４５の加工が容易になるとともに、凹部３０への凸部４５の嵌合時に隙間５０が凸部４５の変形の逃げ部となる。【選択図】図１
2004064827.tif 000002
【特許請求の範囲】
【請求項１】
環状のヨークと、該ヨークの周面に円周方向に隔設され磁束の通路を形成すると共に複数のスロットを区画する複数のティースとを備えるステータコアであって、各該ティースは、ロータに向かって突出し円周方向に隔設された一対の側壁部及び該両側壁部により区画される凹部を含む本体歯部と、ロータに対向し該スロットの開口部に張り出した基部及び該基部から反ロータ側に突出し該凹部に挿入される凸部を有する取付歯部と、を含むステータコアと、
各該スロット内に収納されたステータコイルと、から成り、
各該本体歯部の凹部の底面と該取付歯部の凸部の先端面との間に隙間が形成されていることを特徴とする回転電機のステータ。
【請求項２】
前記側壁部の先端面に前記基部の対向面が当接している請求項１に記載のステータ。
【請求項３】
前記隙間の高さは、前記凹部及び前記凸部の全幅に亘って一定である請求項２に記載のステータ。
【請求項４】
前記凸部の先端面の面積は前記両側壁部の先端面の面積よりも広い請求項２に記載のステータ。
【請求項５】
前記凹部は深さが増加するにつれて幅が漸増し中央付近で最大となった後漸減し、前記凸部は高さが増加するにつれて幅が漸増し中央付近で最大となった後漸減している請求項２に記載のステータ。
【請求項６】
前記側壁部の根本の幅は前記凹部の幅の１／４から１／２であり、前記隙間の高さは該凹部の幅の１／１００から１／１０である請求項２に記載のステータ。
【請求項７】
環状のヨークと、該ヨークの周面に円周方向に隔設され磁束の通路を形成すると共に複数のスロットを区画する複数のティースとを備えるステータコアであって、該ヨークはロータに向かって突出し円周方向に隔設された一対の側壁部及び該両側壁部により区画される凹部を含む保持部を有し、該ティースはロータに対向し該スロットの開口部に張り出した基部及び該基部から反ロータ側に突出し該凹部に挿入される凸部を含むステータコアと、
各該スロット内に収納されたステータコイルと、から成り、
各該保持部の該凹部の底面と該ティースの凸部の先端面との間に隙間が形成されていることを特徴とする回転電機のステータ。
【請求項８】
前記側壁部の先端面に前記基部の対向面が当接している請求項７に記載のステータ。
【請求項９】
前記隙間の高さは、前記凹部及び前記凸部の全幅に亘って一定である請求項８に記載のステータ。
【請求項１０】
前記凸部の先端面の面積は前記両側壁部の先端面の面積よりも広い請求項８に記載のステータ。
【請求項１１】
前記凹部は深さが増加するにつれて幅が漸増し中央付近で最大となった後漸減し、前記凸部は高さが増加するにつれて幅が漸増し中央付近で最大となった後漸減している請求項８に記載のステータ。
【請求項１２】
前記側壁部の根本の幅は前記凹部の幅の１／４から１／２であり、前記隙間の高さは該凹部の幅の１／１００から１／１０である請求項８に記載のステータ。
【発明の詳細な説明】
【０００１】
【発明の属する技術分野】
本発明は、回転電機のステータ特にそのステータコアの改良に関する。
【０００２】
【従来の技術】
回転電機の一種に発電機（オルタネータ）がある。オルタネータはフレームに固定されたステータと、回転するロータとから成る。このうちステータはステータコアとステータコイルとを含み、ステータコアは環状のヨークと、多数のティース（歯部）及び多数のスロットとを有する。ティースはヨークの内周面から半径方向内向きに突出し、ロータから磁束を導く。スロットは隣接するティースにより区画され、その中にステータコイルが収納される。
【０００３】
ステータコイルは開口側から順次スロットに巻装される。スロットの開口部の幅は、ステータコイルの巻装の容易化の点からは広い方が良い。しかし、磁気回路の形成の点からは狭い方が良く、狭くすることによりゴギングトルクが減少する利点もある。この相反する２つの要求を公知の突起状のティースで満たすことは困難である。
【０００４】
そこで、本願の出願人は先に特開２０００−５０５４０号（以下、「従来例」と呼ぶ）で、ティースを２つの部分即ち本体歯部と取付歯部とで形成した回転電機の組立式固定子コアを出願した。
【０００５】
この従来例では、図４に示すように、ステータコア７０はヨーク７２、ティース（歯部）７４及びスロット７９を含み、ティース７４は基歯部７５と別歯部８０とを有する。基歯部７５はヨーク７２の内周面に形成された一対の側壁部７６と、両側壁部７６間の凹部７７とから成る。一方、別歯部８０は基部８１と、これから突出した凸部（軸部）８２とから成る。凸部８２の高さ方向中間部の幅即ち凹部７７の深さ方向中間部の幅Ｃが、凸部８２の周方向の幅即ち凹部７７の幅Ｂよりも大きくされ、幅Ｂが凸部８２の先端の周方向の幅即ち凹部７７の底面の幅Ａよりも小さくされている。
【０００６】
この従来例によれば、別歯部８０を基歯部７５に取り付ける前にステータコイル（不図示）を幅の広いスロット７９に収納するので、巻装が容易である。そして、スロット７９に巻装したステータコイルは別歯部８０の基部８１の張出し部８１ａによりスロット７９からの脱落を防止される。また、幅Ａが幅Ｂよりも小さいので、凸部８２の凹部７７への挿入が容易になる。加えて、幅Ｃが幅Ｂより大きいので、一旦挿入した凸部８２が凹部７７内でがたついたり、凹部７７から抜け出すことが防止される。
【０００７】
【発明が解決しようとする課題】
上記従来例では、別歯部８０の凸部８２の先端面８２ａと基歯部７５の凹部７７の底面７７ａとの間の公差、及び側壁部７６の先端面７６ａと基部８１の対向面８１ｂとの間の公差が共に零とされていた。具体的には、側壁部７６の高さと凸部８２の高さとが等しくされていた。これにより、別歯部８０を基歯部７５に取り付けた状態で、凸部８２の先端面８２ａを凹部７７の底面７７ａに当接させ、側壁部７６の先端面７６ａを基部８１の対向面８１ｂに当接させようとしている。
【０００８】
しかし、上記２つの公差を共に零にするためには、基歯部７５の側壁部７６及び基歯部８０の凸部８２に精密な仕上げ加工を施さなければならず、加工コストが上昇する。
【０００９】
本発明は上記事情に鑑みてなされたものであり、ティースを形成する２つの部分又は部材の加工が容易化され、加工コストが安価な回転電機のステータの提供を目的としてなされたものである。
【００１０】
【課題を解決するための手段】
本願の発明者は、ティースを構成する２つの部分又は部材間に隙間を設けることを考えた。但し、この隙間は一方の部分等に対する他方の部分等の取付けを困難にしたり、取付け後の姿勢を不安定にする原因となり易い。そこで、そうした原因となり難い隙間の位置、形状及び大きさを思い付いて、本発明を完成した。
【００１１】
本願の第１発明にかかる回転電機のステータは、請求項１に記載しているように、環状のヨークとヨークの周面に円周方向に隔設され磁束の通路を形成すると共に複数のスロットを区画する複数のティースとを備えるステータコアと、各スロット内に収納されたステータコイルと、から成る。ここで、各ティースは、ロータに向かって突出し円周方向に隔設された一対の側壁部及び両側壁部により区画される凹部を含む本体歯部と、ロータに対向しスロットの開口部に張り出した基部及び基部から反ロータ側に突出し凹部に挿入される凸部を有する取付歯部と、を含む。そして、各本体歯部の凹部の底面と取付歯部の凸部の先端面との間に隙間が形成されていることを特徴とする。
【００１２】
第１発明のステータでは、ティースがステータコアに形成された本体歯部と、ステータコアとは別体の取付歯部とから成る。この場合、理論上隙間は本体歯部の側壁部と取付歯部の基部との間、又は取付歯部の凸部と本体歯部の凹部との間の何れに設けることもできる。しかし、取付歯部の本体歯部への嵌合時、側壁部から凸部に加わる挟圧力（圧縮力）によって凸部が軸方向に変形（伸長）し易いことを考えて、凸部の先端面と凹部の底面との間に隙間を形成した。
【００１３】
このステータにおいて、本体歯部の側壁部の高さ及び／又は取付歯部の凸部の高さに公差を与え、それにより側壁部及び／又は凸部は高さの管理が緩くできる。また、取付歯部の本体歯部への嵌合時、隙間は凸部の変形の逃げ部となる。
【００１４】
本願の第２発明に係るステータは、請求項７に記載したように、環状のヨークとヨークの周面に円周方向に隔設され磁束の通路を形成すると共に複数のスロットを区画する複数のティースとを備えるステータコアと、各スロット内に収納されたステータコイルと、から成る。ここで、ヨークはロータに向かって突出し円周方向に隔設された一対の側壁部及び両側壁部により区画される凹部を含む保持部を有し、ティースはロータに対向しスロットの開口部に張り出した基部及び基部から反ロータ側に突出し凹部に挿入される凸部を含む。そして、各保持部の凹部の底面とティースの凸部の先端面との間に隙間が形成されていることを特徴とする。
【００１５】
第２発明のステータでは、ステータコアに保持部が形成され、ステータコアとは別体のティースが保持部より保持される。このステータにおいても、ステータコアの保持部の側壁部の高さ及び／又はティースの凸部の高さに公差を与え、それにより側壁部及び／又は凸部の管理が緩くできる。また、ティースの保持部への嵌合時、隙間は凸部の変形の逃げ部となる。
【００１６】
尚、第１及び第２発明における凹部の底面と凸部の先端面との間の隙間は、取付歯部又は保持部及び本体歯部又はティースの加工を容易にすると共に、極力磁気抵抗とならないように意図的に設けるものであり、加工や組立上の都合でたまたま存在する隙間とは区別されるべきである。
【００１７】
請求項２又は８のステータは、請求項１又は７において、本体歯部又は保持部の側壁部の先端面に、取付歯部又はティースの基部の対向面が当接している。請求項３又は９のステータは、請求項２又は８において、隙間の高さは凹部及び凸部の全幅に亘って一定である。
【００１８】
請求項４又は１０のステータは、請求項２又は８において、凸部の先端面の面積は、両側壁部の先端面の面積よりも広い。請求項５又は１１のステータは、請求項２又は８において、凹部は深さが増加するにつれて幅が漸増し中央付近で最大となった後漸減し、凸部は高さが増加するにつれて幅が漸増し中央付近で最大となりその後漸減している。
【００１９】
請求項６又は１２のステータは、請求項２又は８において、側壁部の根本の幅は凹部の幅の１／４から１／２であり、隙間の高さは凹部の幅の１／１００から１／１０である。
【００２０】
【発明の実施の形態】
＜回転電機＞
回転電機はモータ、発電機及びモータ／発電機を含む。このうち、例えば同期モータは、ステータのコイルに交流を流して回転磁界を形成し、固定磁極としてのロータを吸引又は反発して回転させる。また、例えば三相交流発電機は、ロータの回転磁束によりステータのコイルに電力を発生させる。
【００２１】
尚、モータ／発電機はモータ及び発電機の両方の機能を持ち、バッテリの充電量が少ないときは発電機として機能し発生した電力を電源に充電し、エンジン駆動力が不足しているときはモータとして機能しエンジンの駆動力を補助する。
＜ステータ＞
ステータはステータコアと、ステータコイルとから成る。ステータコアは環状のヨークと、その内周面又は外周面に円周方向に隔設された複数のティースとを含む。第１発明では、各ティースはステータコアに形成された本体歯部と、ステータコアとは別体の取付歯部とから成る。これに対して、第２発明では、ステータコアに保持部が形成され、ステータコアとは別体のティースが保持部により保持される。
【００２２】
第１発明でも第２発明でも、隣接するティースにより区画されるスロット内に、ステータコイルが収納され、ティースを利用して巻装される。例えば、３相交流発電機の場合、３本のステータコイルが巻装される。
＜本体歯部、保持部＞
第１発明における本体歯部即ち第２発明における保持部は、一対の側壁部と、両側壁部間に形成される凹部とを含む。一対の側壁部は、ヨークの内周面から内向きに又は外周面から外向きに突出し、円周方向に隔設され、対称な形状を持つ。横断面形状は細長い矩形状で、幅は全高さに亘って均一でも良いが、根元に向かうにつれて漸増していても良い。また、根元に向って中央付近まで漸減し、その後漸増しても良い。厚さ（ステータコアの軸方向寸法）はヨークの厚さと同じである。
【００２３】
側壁部間の間隔即ち凹部の幅は側壁部の内側面の形状により決まり、全深さに亘って均一でも良いが、深さが深くなるにつれて漸減しても良い。また、深さ方向の中央付近まで漸増し、その後漸減していても良い。凹部の深さは上記側壁部の高さにより決まる。
＜取付歯部、ティース＞
第１発明における取付歯部即ち第２発明におけるティースは、基部とこれから突出した凸部とを含み、断面Ｔ字形状を持つことができる。基部は外向き又は内向きに湾曲した矩形状を持ちロータに対向し、その一辺（円周方向の辺）はスロットのピッチに対応し、他辺はヨークの厚さに対応している。基部は中央部と、その両外側に位置し側壁部に対向する一対の対向部と、さらにその両外側に位置しスロットの開口に張り出す張出し部とを持つことができる。
【００２４】
凸部は基部の中央部から基部の湾曲方向と反対方向に突出している。凸部の高さは側壁部の高さよりも低く、幅及び長さは本体歯部又は保持部の凹部のそれに対応している。従って、幅は均一でも良いが、先端に向かって漸減しているか、又は中央付近まで漸増しその後漸減していても良い。
【００２５】
取付歯部又はティースを本体歯部又は保持部に嵌合したとき、基部の対向部の対向面が側壁部の先端面に当接することができる。よって、対向部の両外側の張出し部が半径方向内向きにに変形し難くなり、その長さを短くできる。
＜隙間＞
隙間は本体歯部又は保持部の凹部の底面と、取付歯部又はティースの凸部の先端面との間に形成される。凹部の底面は側壁部の幅方向に延びる平坦面、側壁部の幅方向と所定角度を成す傾斜面、くぼんだ円錐面、又は球面の一部から成ることができる。一方、凸部の先端面は該凸部の幅方向に延びる平坦面、幅方向と所定角度を成す傾斜面、円錐面、又は球面の一部から成ることができる。これら凹部の各形状の底面と凸部の各形状の先端面との組合せにより種々の形状の隙間が区画される。
【００２６】
例えば、凹部の底面も凸部の先端面も平坦面から成る場合、隙間の高さは凹部及び凸部の全幅に亘って均一となる。この様な隙間を形成するためには、側壁部の高さにプラス公差を設け及び／又は凸部の高さにマイナス公差を設ければ良い。側壁部及び凸部に公差を設ければ両方の加工が容易になり、一方のみに公差を設ければ側壁部又は凸部の加工が容易になる。
【００２７】
【実施例】
以下、本発明の実施例を添付図面を基にして説明する。この実施例では、回転電機が３相交流発電機であり、ティースは本体歯部と取付歯部とから成る。
＜実施例＞
（構成）
図１において、発電機はロータ１０及びステータ２０等から成る。ロータ１０はフレーム（不図示）に回転可能に支持されたシャフト（不図示）、シャフトに取り付けられたロータコア１１、ロータコア１１の空間１２に収容されたＳ極及びＮ極の磁石１３等を含む。
【００２８】
一方、ステータ２０は全体として円筒形状で、上記フレームに取り付けられ、その内部空間にロータ１０を収納している。ステータ２０は、ステータコア２２と、ステータコイル３４とに大別される。
【００２９】
ステータコア２２は多数枚の薄板鉄板を積層して成り、環状のヨーク２３と、その内周面に形成された多数のティース（歯部）２４とを含む。詳述すると、図２に拡大して示すように、ティース２４は本体歯部２５と取付歯部４０とから成り、本体歯部２５は半径方向内向きに突出した一対の側壁部２７を含む。各側壁部２７の内側面は幅が漸減している開口側の垂直面２８ａと、幅が漸増している奥側の傾斜面２８ｂとから成る。外側面２９は半径と平行に延びている。高さにはマイナス公差を設けている。
【００３０】
一対の側壁部２７間に凹部３０が形成されている。凹部３０の幅は入口側より一定の割合で増大し、中央部で最大となり、奥側は一定の割合で減少している。凹部３０の底面３０ａは側壁部２７の幅方向と平行に形成された平坦面から成る。
【００３１】
隣接するティース２４（より正確には側壁部２７）によりスロット３３が区画され、断面矩形状を持つ。スロット３３の幅は凹部３０よりも広く、深さは凹部３０よりも深い。スロット３３内にステータコイル３４が収納され、ティース２４に巻装されている。
【００３２】
多数枚の薄板鉄板を積層して成る取付歯部４０の基部４１は全体的に外向きに湾曲した矩形板状を持ち、その一辺は隣接するスロット３３の円周方向ピッチにほぼ等しく、その他辺はヨーク２３の厚さに等しい。基部４１は中央部４２と、その両外側の一対の対向部４３と、さらにその両外側の張出し部４４とを持つ。中央部４２から凸部４５が基部４１の湾曲方向と反対方向即ち半径方向外向きに突出している。対向部４３の対向面４３ａは側壁部２７の先端面２７ａに対向し、張出し部４４はスロット３３の開口に張り出している。
【００３３】
凸部４５の幅及び長さは上記本体歯部２５の凹部３０のそれに対応している。凸部４５の先端面４５ａはその幅方向に延び、上記凹部３０の底面３０ａと平行な平坦面から成る。高さにはプラス公差が設けられ、側壁部２７の高さよりも少し高くされている。その結果、側壁部２７の先端面２７ａに対向面４３ａが当接した状態で、凸部４５の先端面４５ａと凹部３０の底面３０ａとの間に隙間５０が形成されている。
【００３４】
尚、ステータコイル３４をステータコア２２へ巻装する際は、本体歯部２５に取付歯部４０を嵌合する前に、膜状のインシュレータ４６をスロット３３の底面及び両側面に配置する。この状態でステータコイル３４をスロット３３に収納し、インシュレータ４６の両端を開口側で重ねる。次に、取付歯部４０の凸部４５を本体歯部２５の凹部３０に嵌合させ、対向面４３ａが先端面２７ａに当接するまで挿入する。
（作用効果）
３相交流発電機の作動時、ロータ１０のＮ極の磁石１３から出た磁束はエアーギャップを通ってステータコア２２の中を進み、Ｓ極に戻る。ロータ１０がエンジン等により回転されると、ステータコア２２の中を流れていた磁束は回転移動し、ロータ１０の磁束をステータコイル３４で鎖交することになり、ステータコイル３４に３相の起電力が発生する。
【００３５】
本実施例によれば、以下の効果が得られる。第１に、ステータコア２２のティース２４を構成する本体歯部２５の側壁部２７及び取付歯部４０の凸部４５の加工が容易になる。即ち、その先端面２７ａを基準面として側壁部２７の高さを求め、これにプラス公差を与えている。よって、側壁部２７の高さはこのプラス公差の範囲内にあれば良く、その分加工が容易になる。一方、その対向面４３ａを基準面として凸部４５の高さを求め、これにマイナス公差を与えている。よって、凸部４５の高さもこのマイナス公差の範囲内にあれば良く、その分加工が容易になる。
【００３６】
第２に、本体歯部２５の凹部３０に対する取付歯部４０の凸部４５の嵌合が容易になる。前述したように、凸部４５を凹部３０に嵌合する際、側壁部２７から受ける挟圧力により凸部４５はその幅が減少し、先端面４５ａ側に伸長する傾向がある。しかし、この伸長は凹部３０の底面３０ａと凸部４５の先端面４５ａとの間にある隙間５０に逃がすことができる。よって、凹部３０に対して凸部４５を容易にしかも確実に嵌合させることができる。
【００３７】
第３に、本体歯部２５に嵌合した取付歯部４０のがたつき等が防止される。前述したように、ロータ１０の磁石１３のＳ極又はＮ極が半径方向でティース２４に対向するとき、張出し部４４が半径方向内向きに変形する傾向がある。また、磁石１３のＳ極又はＮ極がティース２４に接近又は離間するとき、取付歯部４０は本体歯部２５に対して円周方向に移動する傾向がある
しかし、その凸部４５が本体歯部２５の凹部３０に嵌合された取付歯部４０は、その基部４１の２つの対向部４３の対向面４３ａが２つの側壁部２７の先端面２７ａに当接している。即ち、取付歯部４０は本体歯部２５により３点支持状態で保持されている。しかも、凹部３０の内側面２８ａ及び２８ｂ即ち凸部４５の外側面はテーパ状になっている。よって、張出し部４４の半径方向内向きの変形や、取付歯部４０の円周方向のがたつきが防止される。その結果、張出し部４４の張出し量即ち基部４１の円周方向長さを短くすることができる。
＜変形例＞
以下、上記凹部３０の底面と凸部４５の先端面との間の隙間の変形例を説明する。尚、ここでは何れの変形例でも、上記実施例における凸部の先端面の形状を変形している。
▲１▼第１変形例
図３（ａ）に示すように、第１変形例では、凸部５５の先端面５５ａはその長手方向に対して直角よりも少し小さい鋭角を成す傾斜面から成り、凹部３０の底面３０ａとの間に隙間５７が形成されている。隙間５７の高さは凹部３０の幅方向の一端側で大きく、他端側で小さくなっている。
▲２▼第２変形例
図３（ｂ）に示すように、第２変形例では、凸部６０の先端面６０ａは中心部が下方に突出した円錐面から成り、凹部３０の底面３０ａとの間に隙間６２が形成されている。隙間６２の高さは突部６０の中心部で小さく、周辺部で大きくなっている。
▲３▼第３変形例
図３（ｃ）に示すように、第３変形例では、凸部６５の先端面６５ａは中心部が下方に突出した円弧面から成り、凹部３０の底面３０ａとの間に隙間６７が形成されている。隙間６２の高さは凸部６５の中心部で小さく、周辺部で大きくなっている。
【００３８】
【発明の効果】
以上述べてきたように、請求項１に記載した第１発明の回転電機のステータによれば、本体歯部の凹部の底面と取付歯部の凸部の先端面との間に隙間を設けたので、側壁部及び凸部の高さの管理が緩くでき、加工コストが低減する。また、取付歯部の本体歯部への嵌合時、隙間が変形する凸部の逃げ部となり、取付歯部の挿入が容易になる。更に、基部の対向面が側壁部の先端面に当接しているので、張出し部のばたつきや取付歯部のがたつきが防止される。
【００３９】
一方、請求項７に記載した第２発明の回転電機のステータによれば、保持部の凹部の底面とティースの凸部の先端面との間に隙間を設けたので、側壁部及び凸部の高さの管理が緩くでき、加工コストが低減する。また、ティースの保持部への嵌合時、隙間が変形する凸部の逃げ部となり、ティースの嵌合が容易になる。
【００４０】
請求項２及び８ステータによれば、面積の広い凸部の先端面と凹部の底面との間に隙間がないので、この部分では磁気抵抗が増大しない。請求項３及び９のステータによれば、取付歯部又はティースの本体歯部又は保持部への嵌合時に、凸部の全周において変形が許容される。
【００４１】
請求項４及び１０のステータによれば、凸部の先端面の面積が広く隙間が大きいので凸部の大きな変形が許容され、取付歯部又はティースの本体歯部又は保持部への嵌合が容易になる。請求項５及び１１のステータによれば、取付歯部又はティースが本体歯部又は保持部によりしっかり嵌合保持される。
【００４２】
請求項６及び１２のステータによれば、ティースの幅及び高さを大きくすることなく凸部の変形を許容し、取付歯部又はティースの本体歯部又は保持部への嵌合が容易になる。
【図面の簡単な説明】
【図１】本発明の回転電機のステータコアの要部横断面図である。
【図２】図１の要部拡大図である。
【図３】（ａ）（ｂ）及び（ｃ）はそれぞれ隙間の第１，第２及び第３変形例を示す要部断面図である。
【図４】従来例のステータコアの要部横断面図である。
【符号の説明】
１０：ロータ　　　　　　　　　　２０：ステータ
２２：ステータコア　　　　　　　　　　　　　　２３：ヨーク
２４：ティース　　　　　　　　　２５：本体歯部
２７：側壁部　　　　　　　　　　３０：凹部
３０ａ：底面　　　　　　　　　　４０：取付歯部
４５：凸部　　　　　　　　　　　４５ａ：先端面
５０：隙間
【図１】
2004064827.tif 000003
【図２】
2004064827.tif 000004
【図３】
2004064827.tif 000005
【図４】
2004064827.tif 000006